(57)【要約】【課題】大型のスクリーンを平面状から曲面状に変位させる。【解決手段】床面に対して鉛直方向に並設される複数本のフレーム体１１と、複数本のフレーム体１１の各前面１１ａ側で隣り合うフレーム体１１，１１間に取り付けられ、各フレーム体１１を水平方向に折り曲げ自在に連結する連結手段１２と、複数本のフレーム体１１を連結手段１２を介して連結した状態で複数本のフレーム体１１を床面に沿って移動させる移動手段１６と、複数本のフレーム体１１の各前面１１ａ側に支持されたスクリーン２２と、を備えており、複数本のフレーム体１１を水平方向に略一直線上に並ばせた時にスクリ−ン２２の横断面形状が直線状の形態を取る一方、複数本のフレーム体１１を移動手段１６により移動させて各フレーム体１１を連結手段１２を介して水平方向に折り曲げた時にスクリーン２２の横断面形状が曲線状に変位する表示スクリーン装置１０を提供する。【選択図】図１
2007079271.tif 000002
【特許請求の範囲】
【請求項１】
光学画像を投射して表示するためのスクリーンを、鉛直方向に対して直交した水平方向に横断した時に、前記スクリーンの横断面形状が直線状の形態から曲線状の形態に変位可能に構成された表示スクリーン装置において、
床面に対して鉛直方向に並設される複数本のフレーム体と、
前記複数本のフレーム体のうちで投射側となる各前面側で隣り合うフレーム体間に取り付けられ、各フレーム体を水平方向に折り曲げ自在に連結する連結手段と、
前記複数本のフレーム体を前記連結手段を介して連結した状態で該複数本のフレーム体を前記床面に沿って移動させる移動手段と、
前記複数本のフレーム体の前記床面への移動を停止させる制動手段と、
前記複数本のフレーム体の各前面側に周辺を支持された前記スクリーンと、を備えており、
前記複数本のフレーム体を水平方向に略一直線上に揃うように並ばせた時に前記スクリ−ンの横断面形状が直線状の形態を取る一方、前記複数本のフレーム体を前記移動手段により移動させて各フレーム体を前記連結手段を介して水平方向に折り曲げた時に前記スクリーンの横断面形状が曲線状に変位することを特徴とする表示スクリーン装置。
【請求項２】
請求項１記載の表示スクリーン装置において
前記複数本のフレーム体の上下端から互いに対向して投射側に向かって延出した各上下一対のスクリーン支持部材と、前記スクリーンの上下端との間で弾性を持って張架して該スクリーンの上下端を支持すると共に、左端のフレーム体及び右端のフレーム体から互いに対向して投射側に向かって延出した左右一対のスクリーン支持部材と、前記スクリーンの左右端との間で弾性を持って張架して該スクリーンの左右端を支持したことを特徴とする表示スクリーン装置。
【請求項３】
請求項２記載の表示スクリーン装置において、
前記スクリーンの上下端の支持を覆い隠すための化粧板を各フレーム体ごとに該各フレーム体の上下端に取り付けると共に、前記スクリーンの左右端の支持を覆い隠すための化粧板を前記左端のフレーム体及び前記右端のフレーム体に取り付けたことを特徴とする表示スクリーン装置。
【請求項４】
請求項１〜請求項３のうちいずれか１項記載の表示スクリーン装置において、
前記複数本のフレーム体の各前面に沿って柔軟性を有するシート状の緩衝材を取り付け、且つ、この緩衝材の前方に前記スクリーンを支持させたことを特徴とする表示スクリーン装置。
【請求項５】
請求項１〜請求項４のうちいずれか１項記載の表示スクリーン装置において、
前記複数本のフレーム体を前記移動手段により移動させて各フレーム体を前記連結手段を介して水平方向に折り曲げた時に、前記複数本のフレーム体の各後面側の拡開幅を規制する後面側拡開幅規制手段を前記各後面側に取り付けたことを特徴とする表示スクリーン装置。
【請求項６】
請求項１〜請求項５のうちいずれか１項記載の表示スクリーン装置において、
前記フレーム体を奇数本設置した時に、前記奇数本のフレーム体のうちで少なくとも中央のフレーム体を固定部に固定したことを特徴とする表示スクリーン装置。
【発明の詳細な説明】
【技術分野】
【０００１】
本発明は、光学画像を投射して表示するためのスクリーンを、鉛直方向に対して直交した水平方向に横断した時に、スクリーンの横断面形状が直線状の形態から曲線状の形態に変位可能に構成された表示スクリーン装置に関するものである。
【背景技術】
【０００２】
光学画像を投射して表示するためのスクリーンは各種の構造形態があるものの、この種のスクリーンを重力が作用する方向である鉛直方向に対して直交した水平方向に横断した時に、スクリーンの横断面形状が直線状の形態から曲線状の形態に変位可能に構成された表示スクリーン装置がある（例えば、特許文献１参照）。
【特許文献１】特開平５−２９７４６６号公報
【０００３】
図９は従来の表示スクリーン装置を示した正面図、
図１０は従来の表示スクリーン装置を鉛直方向に対して直交した水平方向に横断した時に、（ａ）はスクリーンの横断面形状が直線状の形態を示し、（ｂ）はスクリーンの横断面形状が曲線状の形態を示した図である。
【０００４】
図９に示した従来の表示スクリーン装置１００は、上記した特許文献１（特開平５−２９７４６６号公報）に開示されており、ここでは特許文献１を参照して簡略に説明する。
【０００５】
図９に示した如く、従来の表示スクリーン装置１００では、スクリーン１０１の裏面の４辺及び対角線上に、二次曲面状となる形状を記憶した形状記憶合金１０２と、この形状記憶合金１０２を加熱して変形させるヒーター線１０３とが備えられている。
【０００６】
そして、上記した従来の表示スクリーン装置１００のスクリーン１０１を、鉛直方向に対して直交した水平方向に横断した時に、図１０（ａ）に示した如く、通常時（常温時）で形状記憶合金１０２に熱が印加されていない場合には、スクリーン１０１の横断面形状が直線状の形態を取り、言い換えると、この状態のスクリーン１０１を正面から見ると平面状の形態となる。そして、スクリーン１０１が平面状である時に、投射方向に向かって投射した光学画像を平面状のスクリーン１０１に拡大表示している。
【０００７】
一方、図１０（ｂ）に示した如く、ヒーター線１０３を通電して形状記憶合金１０２に熱が印加された場合には、二次曲面状となる形状を記憶した形状記憶合金１０２によってスクリーン１０の横断面形状が曲線状の形態を取り、言い換えると、この状態のスクリーン１０１を正面から見ると曲面状の形態となる。この後、投射方向に向かって投射した光学画像を曲面状のスクリーン１０１に拡大表示している。
【０００８】
ここで、一般的に、スクリーンに拡大表示された光学画像を見る場合、画角が水平方向に対して１００°を超えると３０°程度の有効視野だけでなく誘導視野もほぼ含むため、没入感が得られやすいことが知られている。
【０００９】
一方、画角が水平１００°を超える画角を得るために周知の平面スクリーンを使用した場合、平面スクリーンの横幅が大きくなり、平面スクリーンの設置場所の増大という問題が生じる。
【００１０】
そこで、観察者を取り囲むように周知の凹状曲面スクリーンを配置し、この凹状曲面スクリーンに光学画像を拡大表示した場合に、凹状曲面スクリーンの横幅は周知の平面スクリーンに比べて幅狭くなるので、設置場所の増大という問題は解決できる。
【００１１】
しかしながら、没入感が求められない用途で平面スクリーンが用いられることもあり、またスクリーンを設置した場所が、スクリーンを使用しない用途で多目的に用いられる場合、周知の凹状曲面スクリーンは場所を取るという欠点があるので、両者の場合を考慮すれば従来の表示スクリーン装置１００が適用可能である。
【発明の開示】
【発明が解決しようとする課題】
【００１２】
ところで、上記した従来の表示スクリーン装置１００では、スクリーン１０１の裏面に形状記憶合金１０２とヒーター線１０３とを備えることで、スクリーンの横断面形状が直線状の形態から曲線状の形態に変位可能に構成されているものの、投射表示システムによる高画質，高音質に伴って光学画像を拡大表示するためのスクリーンの大型化が要求されている。
【００１３】
この際、家庭用として使用される場合にはスクリーンを設置するスペースが比較的狭いいので、スクリーンを平面状と曲面状に変位させる場合に従来の表示スクリーン装置１００をそのまま適用できるものの、業務用として使用される場合にはスクリーンを設置するスペースを十分確保できるので、この場合にスクリーンの大きさを例えば鉛直方向（高さ方向）に３ｍ以上、水平方向（横方向）に８ｍ以上と大型化に形成する場合に、大型のスクリーンの裏面に形状記憶合金やヒーター線を取り付けることは技術的に非常に困難であり、実用性の面でも困難が伴うものである。
【００１４】
そこで、スクリーンの裏面に形状記憶合金やヒーター線を取り付けることなく、大型のスクリーンを平面状から曲面状に変位できる構造形態の表示スクリーン装置が望まれている。
【課題を解決するための手段】
【００１５】
本発明は上記課題に鑑みてなされたものであり、請求項１記載の発明は、光学画像を投射して表示するためのスクリーンを、鉛直方向に対して直交した水平方向に横断した時に、前記スクリーンの横断面形状が直線状の形態から曲線状の形態に変位可能に構成された表示スクリーン装置において、
床面に対して鉛直方向に並設される複数本のフレーム体と、
前記複数本のフレーム体のうちで投射側となる各前面側で隣り合うフレーム体間に取り付けられ、各フレーム体を水平方向に折り曲げ自在に連結する連結手段と、
前記複数本のフレーム体を前記連結手段を介して連結した状態で該複数本のフレーム体を前記床面に沿って移動させる移動手段と、
前記複数本のフレーム体の前記床面への移動を停止させる制動手段と、
前記複数本のフレーム体の各前面側に周辺を支持された前記スクリーンと、を備えており、
前記複数本のフレーム体を水平方向に略一直線上に揃うように並ばせた時に前記スクリ−ンの横断面形状が直線状の形態を取る一方、前記複数本のフレーム体を前記移動手段により移動させて各フレーム体を前記連結手段を介して水平方向に折り曲げた時に前記スクリーンの横断面形状が曲線状に変位することを特徴とする表示スクリーン装置である。
【００１６】
また、請求項２記載の発明は、請求項１記載の表示スクリーン装置において
前記複数本のフレーム体の上下端から互いに対向して投射側に向かって延出した各上下一対のスクリーン支持部材と、前記スクリーンの上下端との間で弾性を持って張架して該スクリーンの上下端を支持すると共に、左端のフレーム体及び右端のフレーム体から互いに対向して投射側に向かって延出した左右一対のスクリーン支持部材と、前記スクリーンの左右端との間で弾性を持って張架して該スクリーンの左右端を支持したことを特徴とする表示スクリーン装置である。
【００１７】
また、請求項３記載の発明は、請求項２記載の表示スクリーン装置において、
前記スクリーンの上下端の支持を覆い隠すための化粧板を各フレーム体ごとに該各フレーム体の上下端に取り付けると共に、前記スクリーンの左右端の支持を覆い隠すための化粧板を前記左端のフレーム体及び前記右端のフレーム体に取り付けたことを特徴とする表示スクリーン装置である。
【００１８】
また、請求項４記載の発明は、請求項１〜請求項３のうちいずれか１項記載の表示スクリーン装置において、
前記複数本のフレーム体の各前面に沿って柔軟性を有するシート状の緩衝材を取り付け、且つ、この緩衝材の前方に前記スクリーンを支持させたことを特徴とする表示スクリーン装置である。
【００１９】
また、請求項５記載の発明は、請求項１〜請求項４のうちいずれか１項記載の表示スクリーン装置において、
前記複数本のフレーム体を前記移動手段により移動させて各フレーム体を前記連結手段を介して水平方向に折り曲げた時に、前記複数本のフレーム体の各後面側の拡開幅を規制する後面側拡開幅規制手段を前記各後面側に取り付けたことを特徴とする表示スクリーン装置である。
【００２０】
更に、請求項６記載の発明は、請求項１〜請求項５のうちいずれか１項記載の表示スクリーン装置において、
前記フレーム体を奇数本設置した時に、前記奇数本のフレーム体のうちで少なくとも中央のフレーム体を固定部に固定したことを特徴とする表示スクリーン装置である。
【発明の効果】
【００２１】
請求項１記載の表示スクリーン装置によると、光学画像を投射して表示するためのスクリーンを、鉛直方向に対して直交した水平方向に横断した時に、スクリーンの横断面形状を直線状の形態から曲線状の形態に変位可能に構成する際、複数本のフレーム体を水平方向に略一直線上に揃うように並ばせた時に複数本のフレーム体の各前面側に支持したスクリ−ンの横断面形状が直線状の形態を取る一方、複数本のフレーム体を移動手段により移動させて各フレーム体を連結手段を介して水平方向に折り曲げた時にスクリーンの横断面形状が曲線状に変位するので、従来の課題で説明したように、大型のスクリーンでは技術的に非常に困難である形状記憶合金やヒーター線を取り付ける必要がなくなるので、スクリーンの大型化に対応できる。
【００２２】
また、請求項２記載の表示スクリーン装置によると、スクリーンの周辺を例えばゴム紐とか引張バネなどを用いて弾性を持って張架してこのスクリーンを複数のフレーム体の各前面側に支持しているので、複数本のフレーム体の移動に関係なくスクリーンの上下方向及び左右方向に対して適当な張力を印加することができるため、複数本のフレーム体の移動中でもスクリーンがたるむことがなく、且つ、複数本のフレーム体が停止している投射状態でもスクリーンがたるむことがない。
【００２３】
また、請求項３記載の表示スクリーン装置によると、スクリーンの上下端の支持を覆い隠すための化粧板を各フレーム体ごとに各フレーム体の上下端に取り付けると共に、スクリーンの左右端の支持を覆い隠すための化粧板を左端のフレーム体及び右端のフレーム体に取り付けたため、表示スクリーン装置の外観を良好に保つことができる。
【００２４】
また、請求項４記載の表示スクリーン装置によると、複数本のフレーム体の各前面に沿って柔軟性を有するシート状の緩衝材を取り付け、且つ、この緩衝材の前方にスクリーンを支持させたため、複数本のフレーム体の移動中にスクリーンの裏面の損傷を防ぐことができる。更に、スクリーンに例えば白色布地を用いた場合に、複数本のフレーム体の各前面に沿って柔軟性を有する黒色ゴムシートなどを用いたシート状の黒色緩衝材を取り付ければ、白色のスクリーンを透過した透過光を吸収してスクリーン上に投射された光学画像に対してコントラスト比の向上を図ると共に、スクリーンの裏面が複数本のフレーム体に接触することがないのでスクリーンの裏面への損傷を防止することができる。
【００２５】
また、請求項５記載の表示スクリーン装置によると、複数本のフレーム体を移動手段により移動させて各フレーム体を連結手段を介して水平方向に折り曲げた時に、複数本のフレーム体の各後面側の拡開幅を規制する後面側拡開幅規制手段を各後面側に取り付けたために、複数のフレーム体を略等間隔で水平方向に折り曲げることができる共に、複数本のフレーム体の各前面側に支持したスクリーンの曲面の曲率を予め設定した値に維持できる。この際、後面側拡開幅規制手段の長さは、設置現場で調整できるので、複数本のフレーム体の各前面側に支持したスクリーンの曲面の曲率を調整することが可能である。
【００２６】
更に、請求項６記載の表示スクリーン装置によると、フレーム体を奇数本設置した時に、奇数本のフレーム体のうちで少なくとも中央のフレーム体を例えば壁面又は床面もしくは柱などの固定部に固定したため、複数本のフレーム体の転倒を防止できると共に、中央のフレーム体を挟んで左方に配置した複数本のフレーム体と、右方に配置した複数本のフレーム体を左右対称に前後方向に向かって手動で容易に移動できる。
【発明を実施するための最良の形態】
【００２７】
以下に本発明に係る表示スクリーン装置の一実施例について図１〜図８を参照して詳細に説明する。
【実施例】
【００２８】
図１は本発明に係る表示スクリーン装置を説明するための斜視図であり、表示スクリーン装置内に設けたスクリーンが平面である状態を示した斜視図、
図２（ａ），（ｂ），（ｃ）は本発明に係る表示スクリーン装置をそれぞれ示した上面図，正面図，側面図、
図３は本発明に係る表示スクリーン装置内に設けたスクリーンを曲面状に変位させた状態で、複数のプロジェクからの各光学画像を投射する投射表示システムを説明するための斜視図、
図４は本発明に係る表示スクリーン装置を一部拡大して示した斜視図、
図５は本発明に係る表示スクリーン装置を拡大して断面した側断面図、
図６（ａ），（ｂ）は本発明に係る表示スクリーン装置内に設けた複数のラック体の後面側が水平方向に略一直線上に揃うように並んだ時の後面図，底面図であり、（ｃ）は複数のラック体の後面側が水平方向に拡開して折れ曲がっている時の底面図、
図７は本発明に係る表示スクリーン装置内に設けたスクリーンの第１使用形態を説明するために模式的に示した図、
図８は本発明に係る表示スクリーン装置内に設けたスクリーンの第２使用形態を説明するために模式的に示した図である。
【００２９】
図１及び図２（ａ）〜（ｃ）に示した如く、本発明に係る表示スクリーン装置１０では、アングル鋼材などを用いて直方形状に枠組みされた複数本のフレーム体１１が床面に対して重力が作用する方向である鉛直方向に並設されている。
【００３０】
この際、各フレーム体１１は、幅寸法及び奥行き寸法が例えば３００ｍｍと正方形状に設定され、且つ、高さ寸法が例えば３５００ｍｍ以上と高く設定されているために、複数本のフレーム体１１を設置する設置現場でのエレベーターへの搬送などを考慮して上下に２分割されており、上側フレーム体１１Ａと下側フレーム体１１Ｂとを高さ方向に重ね合わせて設置現場でボルトなどを用いて固定し、１本のフレーム体１１として床面に対して鉛直方向に組み立ている。更に、一つのフレーム体１１と、このフレーム体１１を床面に沿って移動させるキャスター１６とを合わせた合計高さ寸法は例えば最大で３８００ｍｍに設定されている。
【００３１】
尚、各フレーム体１１は、この実施例では上下２段に分割した例を示したが、これに限定されるものでなく、上下に分割する必要のない場合もあり、更に、各フレーム体１１の高さ寸法をより高く設定する場合に３段以上に分割して積層しても良いものである。
【００３２】
また、複数本のフレーム体１１のうちで、隣り合うフレーム体１１，１１同士は、各前面１１ａ，１１ａの上下に取り付けた連結手段となるヒンジ１２，１２により水平方向に折り曲げ可能に連結されている一方、各後面１１ｂ，１１ｂは切り離されている。
【００３３】
そして、複数本のフレーム体１１をそれぞれのフレーム体１１に取り付けたヒンジ１２，１２により水平方向に折り曲げた場合に、複数本のフレーム体１１の各前面１１ａ側の横断面形状が凹状になるように折り曲げられて、各後面１１ｂ側が水平方向に拡開するようになっている。
【００３４】
また、複数本のフレーム体１１をヒンジ１２によりそれぞれ連結した時に、隣り合うフレーム体１１，１１間でヒンジ１２が回動するための軸分だけの隙間が形成されるので、この隙間を維持するために隣り合うフレーム体１１，１１のいずれか一方の側面の上下にゴムスペーサ１３，（１３…図示せず）が取り付けられている。
【００３５】
従って、複数本のフレーム体１１が水平方向に略一直線上に揃うように並んだ時には、隣り合うフレーム体１１，１１間に僅かな隙間を持った状態で複数のレーム体１１が略等間隔で並設されることになる。
【００３６】
また、複数本のフレーム体１１は、床面と対向する各底面１１ｃに各フレーム体１１を床面に沿って前後方向に移動させるための移動手段が取り付けられており、この実施例では移動手段の具体例として各底面の前後又は左右に２個のキャスター１６，（１６…図示せず）が取り付けられている。
【００３７】
また、複数本のフレーム体１１のうちで、左端のフレーム体１１の左側面１１ｅ及び右端のフレーム体１１の右側面１１ｆには、床面上での移動を制動する制動手段（ブレーキ）１７，１７が床面に対して接離自在に設けられており、これら左右の制動手段１７，１７を床面に押し付ければ、複数本のフレーム体１１の各底面１１ｃにそれぞれ取り付けたキャスター１６による床面への移動を停止できる。
【００３８】
そして、左右の制動手段１７，１７により複数本のフレーム体１１を床面に対して停止させることで、複数本のフレーム体１１の各前面１１ａ側に支持した大型のスクリーンの変形を防止できる。尚、上記した制動手段１７は後で用いる図４に拡大して図示している。
【００３９】
この際、左端のフレーム体１１の底面１１ｃ及び右端のフレーム体１１の底面１１ｃに、キャスター１６と同じ高さを有する制動付きキャスター（図示せず）を制動操作可能に取り付ければ、左右の制動手段１７，１７を省くことができる。
【００４０】
また、複数本のフレーム体１１は、奇数本（Ｎ＋１本）並設することが好ましく、この場合には、中央のフレーム体１１を挟んで左右対称に配列できる。この実施例では、合計で２７本のフレーム体１１をヒンジ１２により連結し、且つ、左端又は右端から１４番目に位置する中央のフレーム体１１の後面１１ｂ側を、固定手段となる壁面固定用部材１４とボルト１５とにより固定部となる壁面にしっかりと固定している。
【００４１】
これにより、複数本のフレーム体１１の転倒を防止できると共に、中央のフレーム体１１を挟んで左方に配置した複数本のフレーム体１１と、右方に配置した複数本のフレーム体１１を左右対称に前後方向に向かって手動で容易に移動できる。尚、この実施例では、中央のフレーム体１１を固定する固定部として壁面を利用しているが、これに限ることなく、床面とか柱などに固定することも可能である。
【００４２】
更に、複数本のフレーム体１１のうちで、左端のフレーム体１１の左側面１１ｅ及び右端のフレーム体１１の右側面１１ｆには、左右一対の壁面固定用Ｕ字状ブラケット１８，（１８…図示せず）が取り付けられている。一方、壁面の左右側には、左右一対の壁面固定用Ｕ字状ブラケット１８，（１８）と対応して左右一対のレバー部材１９，（１９…図示せず）が軸２０，（２０…図示せず）を中心に回動自在に取り付けられている。尚、これらの壁面固定部材は後で用いる図４に拡大して図示している。
【００４３】
そして、複数本のフレーム体１１が水平方向に略一直線上に揃うように並んだ時に、必要に応じて各レバー部材１９の先端を各壁面固定用Ｕ字状ブラケット１８内に進入させることで、左端のフレーム体１１及び右端のフレーム体１１を壁面に対して固定できるようになっている。
【００４４】
また、複数本のフレーム体１１の各前面１１ａ側には、後述するように柔軟性を有するシート状の黒色緩衝材２１（図４，図５）を挟んで大型のスクリーン２２の周辺が支持されており、この大型のスクリーン２２を複数本のフレーム体１１の各前面１１ａ側に支持させる支持構造については後で詳述する。
【００４５】
上記した大型のスクリーン２２は、水平方向の最大画面寸法が例えば８３００ｍｍ、垂直方向（鉛直方向）の最大画面寸法が例えば３２００ｍｍにそれぞれ設定されており、且つ、長方形状の白色布地の上に光を拡散反射させる白色コーティングが施されているものを使用している。
【００４６】
また、複数本のフレーム体１１の各前面１１ａの上下には、スクリーン２２の上下端を覆い隠すための化粧板３２，３２が各フレーム体１１ごとに取り付けられ、更に、左端のフレーム体１１の前面左方及び右端のフレーム体１１の前面右方には、スクリーン２２の左右端を覆い隠すための化粧板３５，３５が取り付けられており、化粧板３２，３５の取り付け構造については後で述べる。
【００４７】
また、左端のフレーム体１１の前面左方と、中央のフレーム体１１の前面下方と、右端のフレーム体１１の前面右方とに、スピーカ４１，４２，４３がスクリーン２２よりも前方の投射側に突出するように取り付けられている。
【００４８】
そして、図１に示した状態では、２７本のフレーム体１１の各前面１１ａ及び各後面１１ｂが水平方向に略一直線上に揃うように並べられているので、この時に各前面１１ａの前方で投射側に向かって取り付けた大型のスクリーン２２を鉛直方向に対して直交した水平方向に横断した時に、大型のスクリーン２２の横断面形状は直線状となる。言い換えると、この状態のスクリーン２２を正面から見た時に、スクリーン２２は２７本のフレーム体１１の各前面１１ａと略平行に平面状になっており、この状態で不図示のプロジェクタから投射された光学画像を拡大表示できる。
【００４９】
次に、図３では、図示の都合上、フレーム体１１の本数を２７本より少なく図示しているものの、複数本のフレーム体１１のうちで中央のフレーム体１１の後面１１ｂ側のみを壁面固定用部材１４とボルト１５とにより壁面にしっかりと固定した上で、左端のフレーム体１１を壁面から遠ざかるように手動で押しながら各フレーム体１１に取り付けたキャスター１６を介して前方側に移動させ、且つ、各フレーム体１１の前面１１ａ側を各ヒンジ１２を介して水平方向に凹状に折り曲げ、同様に、右端のフレーム体１１を壁面から遠ざかるように手動で押しながら各フレーム体１１に取り付けたキャスター１６を介して前方側に移動させ、且つ、各フレーム体１１の前面１１ａ側を各ヒンジ１２を介して水平方向に凹状に折り曲げることで、各フレーム体１１の各前面１１ａの前方で投射側に向かって取り付けた大型のスクリーン２２を鉛直方向に対して直交した水平方向に横断した時に、大型のスクリーン２２の横断面形状は曲線面状に変位する。言い換えると、この状態のスクリーン２２を正面から見た時に、スクリーン２２は凹状に折り曲げられた２７本のフレーム体１１の各前面１１ａに沿って凹曲面状になっており、観察者（図示せず）を取り囲む状態で不図示のプロジェクタから投射された光学画像を拡大表示できる。
【００５０】
ここで、本発明に係る表示スクリーン装置１０を採用した投射表示システム４０では、音声出力に対して、左端のフレーム体１１の前面左方に取り付けた左側のスピーカ４１と、中央のフレーム体１１の前面下方に取り付けた中央のスピーカ４２と、右端のフレーム体１１の前面右に取り付けた右側のスピーカ４３と、不図示の観察者の後方に設置した２本のリヤースピーカ４４，４５とにより５チャンネルに構成されている。
【００５１】
一方、映像出力に対して、左側のプロジェクタ４６と、中央のプロジェクタ４７と、右側のプロジェクタ４６とからなる３台をそれぞれスタンド４９上に搭載するか、又は、不図示の天井からつりさげてスクリーン２２に向かって配置している。
【００５２】
この際、３台のプロジェクタ４６〜４８から投射された各光学画像は、一部重なり合う画像部位に対して周辺の輝度と同じになるよう輝度信号へのブレンディング処理（平均化処理）を施すことで、一部重なり合う画像部位が目立たないように対策を施している。
【００５３】
そして、曲面状に変位させた大型のスクリーン２２は、不図示の観察者を取り囲むので、大型のスクリーン２２上に投射された光学画像を没入感がそがれることなく良好に見ることができる。
【００５４】
尚、曲面状に変位させた大型のスクリーン２２は床面積を大きく取るので、使用後に大型のスクリーン２２を先に図１に示した平面状に戻しておけば、設置場所が多目的に利用可能となることは明らかである。
【００５５】
次に、大型のスクリーン２２を複数本のフレーム体１１の各前面１１ａ側に支持させる支持構造について図４及び図５を用いて説明する。
【００５６】
図４及び図５に示した如く、隣り合うフレーム体１１，１１の各前面１１ａの上下にヒンジ１２，１２を取り付けて隣り合うフレーム体１１，１１同士を水平方向に折り曲げ可能に連結した状態で、複数本のフレーム体１１の各前面１１ａに沿って柔軟性を有する黒色ゴムシートなどを用いたシート状の黒色緩衝材２１が取り付けられている。この際、黒色緩衝材２１はフレーム体１１の1台に１枚が取り付けられており、１枚の黒色緩衝材２１の高さ方向は各フレーム体１１の高さと略等しいが、幅方向はヒンジ１２の部分で隣の黒色緩衝材２１と重なるように取り付けられているため、スクリーン２２を曲面状にした場合に、黒色緩衝材２１が弛むことはない。
【００５７】
上記したシート状の黒色緩衝材２１は、白色のスクリーン２２を透過した透過光を吸収してスクリーン２２上に投射された光学画像に対してコントラスト比の向上を図ると共に、スクリーン２２の裏面が複数本のフレーム体１１に接触することがないのでスクリーン２２の裏面への損傷を防止することができる。
【００５８】
この際、シート状の黒色緩衝材２１は、複数本のフレーム体１１の移動に伴って一体に移動するために柔軟性を備える必要があり、且つ、白色のスクリーン２２を透過した透過光を吸収する必要があるので黒色ゴムシートが理想的であるが、上記した機能を備えたものであれば黒色フェルトとか黒色樹脂シートなども適用可能である。
【００５９】
尚、大型のスクリーンに白色布地を用いない場合でも複数本のフレーム体１１の各前面１１ａに沿って柔軟性を有するシート状の緩衝材２１を取り付ければ、複数本のフレーム体１１の移動中にスクリーンの裏面の損傷を防ぐことができる。
【００６０】
次に、シート状の黒色緩衝材２１の前方に間隔を離して取り付けられるスクリーン２２は、上下端及び左右端に沿ってスクリーン補強材２３が所定の幅で枠状に周回されており、このスクリーン補強材２３に沿って多数の丸孔２３ａが貫通して穿設されている。
【００６１】
また、複数本のフレーム体１１の各底面１１ｃと各天面１１ｄには、上下一対のスクリーン支持用Ｌ字状ブラケット２４，２５が互いに対向して取り付けられている。この際、上下一対のスクリーン支持用Ｌ字状ブラケット２４，２５は、Ｌ字状に折り曲げたＬ字状曲げ片２４ａ，２５ａが複数本のフレーム体１１の各前面１１ａよりも前方で投射側に向かって延出され、且つ、Ｌ字状曲げ片２４ａ，２５ａに複数の丸孔２４ｂ，２５ｂが貫通して穿設されている。
【００６２】
そして、スクリーン２２の上下端は各フレーム体１１ごとに支持されており、具体的に
説明すると、各フレーム体１１の底面１１ｃ及び天面１１ｄに取り付けた上下一対のスクリーン支持用Ｌ字状ブラケット２４，２５のＬ字状曲げ片２４ａ，２５ａに穿設した複数の丸孔２４ｂ，２５ｂと、スクリーン２２の外周に周回させたスクリーン補強材２３の上下に穿設した複数の丸孔２３ａとの間に弾性変位自在なゴム紐２６を用いて図示のように三角波状に連結してスクリーン２２の上下端を張架しながらこのスクリーン２２の上下端を支持している。
【００６３】
上記により、スクリーン２２の上下端は各フレーム体１１ごとにゴム紐２６で張架されているので、複数本のフレーム体１１の移動に関係なくスクリーン２２の上下方向に対して適当な張力を印加することができるため、複数本のフレーム体１１の移動中でもスクリーン２２がたるむことがなく、且つ、複数本のフレーム体１１が停止している投射状態でもスクリーン２２がたるむことがない。
【００６４】
また、複数本のフレーム体１１のうちで左端のフレーム体１１の左側面１１ｅと、右端のフレーム体１１の右側面１１ｆ（図１）には、左右一対のスクリーン支持用Ｌ字状ブラケット２７，（２８…図示せず）が互いに対向して取り付けられている。この際、左右一対のスクリーン支持用Ｌ字状ブラケット２７，（２８）は、Ｌ字状に折り曲げたＬ字状曲げ片２７ａ，（２８ａ…図示せず）が左右端のフレーム体１１，１１の各前面１１ａよりも前方で且つ上下一対のスクリーン支持用Ｌ字状ブラケット２４，２５のＬ字状曲げ片２４ａ，２５ａと高さを合わせて投射側に向かって延出され、且つ、Ｌ字状曲げ片２７ａ，（２８ａ）に複数の丸孔２７ｂ，（２８ｂ…図示せず）が貫通して穿設されている。
【００６５】
そして、スクリーン２２の左右端は左端のフレーム体１１及び右端のフレーム体１１のみに支持されており、具体的に説明すると、左端のフレーム体１１の左側面１１ｅ及び右端のフレーム体１１の右側面１１ｆ（図１）に取り付けた左右一対のスクリーン支持用Ｌ字状ブラケット２７，（２８）のＬ字状曲げ片２７ａ，（２８ａ）に穿設した複数の丸孔２７ｂ，（２８ｂ）と、スクリーン２２の外周に周回させたスクリーン補強材２３の左右に穿設した複数の丸孔２３ａとの間に弾性変位自在なゴム紐２９を用いて図示のように三角波状に連結してスクリーン２２の左右端を張架しながらこのスクリーン２２の左右端を支持している。
【００６６】
上記により、スクリーン２２の左右端は左端のフレーム体１１及び右端のフレーム体１１のみにゴム紐２９で張架されているので、複数本のフレーム体１１の移動に関係なくスクリーン２２の左右方向に対して適当な張力を印加することができるため、複数本のフレーム体１１の移動中でもスクリーン２２がたるむことがなく、且つ、複数本のフレーム体１１が停止している投射状態でもスクリーン２２がたるむことがない。
【００６７】
尚、この実施例では、スクリーン２２を弾性変位自在なゴム紐２６，２９を用いて複数本のフレーム体１１の各前面１１ａ側で張架しながら支持させているが、これに限ることなく、弾性変位自在なゴム紐２６，２９に代えて弾性変位自在な引張バネ（図示せず）を多数個用いてスクリーン２２の周辺を弾性を持って懸架することも可能である。更に、弾性変位自在なゴム紐２６，２９に代えて弾性変位不能である単なる紐（図示せず）を用いてスクリーン２２の周辺を懸架することも可能であるものの、この場合には紐のかけ具合でスクリーン２２への張力を調整する必要がある。
【００６８】
また、複数本のフレーム体１１の各底面１１ｃと各天面１１ｄには、上下一対のスクリーン支持用Ｌ字状ブラケット２４，２５上に重ねて上下一対の化粧板支持用Ｌ字状ブラケット３０，３１が互いに対向して取り付けられている。この際、上下一対の化粧板支持用Ｌ字状ブラケット３０，３１は、Ｌ字状に折り曲げたＬ字状曲げ片３０ａ，３１ａが上下一対のスクリーン支持用Ｌ字状ブラケット２４，２５のＬ字状曲げ片２４ａ，２５ａよりも前方で投射側に向かって延出されている。
【００６９】
また、上下一対の化粧板支持用Ｌ字状ブラケット３０，３１のＬ字状曲げ片３０ａ，３１ａは、上下一対のスクリーン支持用Ｌ字状ブラケット２４，２５のＬ字状曲げ片２４ａ，２５ａと、スクリーン２２の上下端に周回させたスクリーン補強材２３とを覆い隠すような高さに形成されている。
【００７０】
そして、上下一対の化粧板支持用Ｌ字状ブラケット３０，３１のＬ字状曲げ片３０ａ，３１ａには、柔軟性を有し且つ光反射が生じない黒色フェルトを用いた化粧板３２，３２が各フレーム１１ごとに接着剤を用いて貼着されている。この際、化粧板３２の幅は、各フレーム１１の幅３００ｍｍと、隣り合うフレーム体１１，１１間に形成された隙間とを合わせた合計幅よりも僅かに長く設定されているので、隣り合う化粧板３２，３２同士で一部重なり合うものの、複数本のフレーム体１１の移動中でも隣り合う化粧板３２，３２との間に隙間が生じないので上下端側に対して良好な外観を保つことができる。
【００７１】
また、複数本のフレーム体１１のうちで左端のフレーム体１１の左側面１１ｅと、右端のフレーム体１１の右側面１１ｆ（図１）には、左右一対のスクリーン支持用Ｌ字状ブラケット２７，（２８…図示せず）上に重ねて左右一対の化粧板支持用Ｌ字状ブラケット３３，（３４…図示せず）が互いに対向して取り付けられている。この際、左右一対の化粧板支持用Ｌ字状ブラケット３３，（３４）は、Ｌ字状に折り曲げたＬ字状曲げ片３３ａ，（３４ａ…図示せず）が左右一対のスクリーン支持用Ｌ字状ブラケット２７，（２８）のＬ字状曲げ片２７ａ，（２８ａ）よりも前方で且つ上下一対の化粧板支持用Ｌ字状ブラケット３０，３１のＬ字状曲げ片３０ａ，３１ａと高さを合わせて投射側に向かって延出されている。
【００７２】
また、左右一対の化粧板支持用Ｌ字状ブラケット３３，（３４）のＬ字状曲げ片３３ａ，（３４ａ）は、左右一対のスクリーン支持用Ｌ字状ブラケット２７，（２８）のＬ字状曲げ片２７ａ，（２８ａ）と、スクリーン２２の左右端に周回させたスクリーン補強材２３とを覆い隠すような高さに形成されている。
【００７３】
そして、左右一対の化粧板支持用Ｌ字状ブラケット３３，（３４）のＬ字状曲げ片３３ａ，（３４ａ）には、柔軟性を有し且つ光反射が生じない黒色フェルトを用いた化粧板３５，（３５）が接着剤を用いて貼着されているので、左右端側に対して良好な外観を保つことができる。
【００７４】
次に、図６（ａ）〜（ｃ）を用いて複数本のフレーム体１１の後面１１ｂ側について説明する。
【００７５】
図６（ａ）に示した如く、複数本のフレーム体１１の各後面１１ｂには、４個のピン３６が上下左右に分かれて固着されている。そして、隣り合うフレーム体１１，１１同士が上下のヒンジ１２，１２により水平方向に折り曲げ可能に連結されている状態で、隣り合うフレーム体１１，１１中の左右で上側のピン３６，３６間に長さを調整できる鎖３７が取り付けられていると共に、下側のピン３６，３６間にも長さを調整できる鎖３７が取り付けられている。
【００７６】
この際、隣り合うフレーム体１１，１１中の左右に設けたピン３６，３６間に掛け渡した鎖３７は、複数本のフレーム体１１をキャスター１６により移動させて各フレーム体１１をヒンジ１２を介して水平方向に凹状に折り曲げた時に、複数本のフレーム体１１の各後面１１ｂ側の拡開幅を規制する後面側拡開幅規制手段となっている。
【００７７】
そして、図６（ａ），（ｂ）に示した如く、複数本のフレーム体１１が水平方向に略一直線上に揃うように並べられている時には、隣り合うフレーム体１１，１１間には、ヒンジ１２の軸分だけの隙間が形成されて、この隙間は隣り合うフレーム体１１，１１のいずれか一方の側面の上下に取り付けたゴムスペーサ１３，１３によって間隔を保たれている。この状態の時に、上下の鎖３７，３７は上記した隙間に対して十分余裕を持って床面方向に向かって垂れ下がっている。
【００７８】
一方、図６（ｃ）に示した如く、複数本のフレーム体１１を各底面１１ｃに取り付けたキャスター１６を介して床面上を移動させ、且つ、各フレーム体１１の前面１１ａ側を各ヒンジ１２を介して水平方向に凹状に折り曲げ時に、複数本のフレーム体１１の後面１１ｂ側は拡開されるので、上下の鎖３７，３７は伸びきって後面１１ｂ側の拡開幅が規制されるため、複数のフレーム体１１を略等間隔で水平方向に凹状に折り曲げることができると共に、複数本のフレーム体１１の各前面１１ａ側に支持したスクリーン２２の曲面の曲率を予め設定した値に維持できる。
【００７９】
この際、上下の鎖３７，３７の長さは、設置現場で調整でき、これら上下の鎖３７，３７の長さを調整することで、複数本のフレーム体１１の各前面１１ａ側に支持したスクリーン２２の曲面の曲率を所望の値に調整することが可能である。
【００８０】
次に、上記のように構成した本発明に係る表示スクリーン装置１０の使用形態について図７及び図８を用いて簡略に説明する。
【００８１】
まず、図７に示した如く、本発明に係る表示スクリーン装置１０の第１使用形態は、複数本のフレーム体１１の配置状態、即ち、複数本のフレーム体１１の移動に伴って、スクリーン２２を投射方向に向かって平面状、又は、左右端側だけが凹曲面状であるアーチ状、もしくは、所定の曲率を有する凹曲面状に変位させている。この場合、中央のフレーム体１１は、固定手段となる壁面固定用部材１４とボルト１５とにより固定部となる壁面にしっかりと固定しており、壁面より前方の投射側にスクリーン２２を凹状に変位させるスペースが確保されている。
【００８２】
この第１使用形態において、スクリーン２２を凹曲面状に変位させた場合に、例えば、飛行機の操縦を訓練するためのフライトシュミレータなどに適用すれば、天地が逆転するような動きに対して敏感で且つ緊迫した光学画像でも没入感がそがれることなく実物と同じように緊張感を持っても見ることができる。
【００８３】
次に、図８に示した如く、本発明に係る表示スクリーン装置１０の第２使用形態は、複数本のフレーム体１１の配置状態、即ち、複数本のフレーム体１１の移動に伴って、スクリーン２２を投射方向に向かって平面状、又は、左右端側だけが凸曲面状である逆アーチ状、もしくは、所定の曲率を有する凸曲面状に変位させている。この場合、中央のフレーム体１１は、固定手段となる壁面固定用部材１４とボルト１５とにより固定部となる柱などにしっかりと固定しており、柱より後方にスクリーン２２を凸状に変位させるスペースが確保されている。
【００８４】
この第２使用形態において、スクリーン２２を凸曲面状に変位させた場合には、例えば、観察者が移動しながら凸面状に拡大表示された光学画像を見るような広告画像などに適用すれば、面白みのある投射方法となり得る。
【図面の簡単な説明】
【００８５】
【図１】本発明に係る表示スクリーン装置を説明するための斜視図であり、表示スクリーン装置内に設けたスクリーンが平面である状態を示した斜視図である。
【図２】（ａ），（ｂ），（ｃ）は本発明に係る表示スクリーン装置をそれぞれ示した上面図，正面図，側面図である。
【図３】本発明に係る表示スクリーン装置内に設けたスクリーンを曲面状に変位させた状態で、複数のプロジェクからの各光学画像を投射する投射表示システムを説明するための斜視図である。
【図４】本発明に係る表示スクリーン装置を一部拡大して示した斜視図である。
【図５】本発明に係る表示スクリーン装置を拡大して断面した側断面図である。
【図６】（ａ），（ｂ）は本発明に係る表示スクリーン装置内に設けた複数のラック体の後面側が水平方向に略一直線上に揃うように並んだ時の後面図，底面図であり、（ｃ）は複数のラック体の後面側が水平方向に拡開して折れ曲がっている時の底面図である。
【図７】本発明に係る表示スクリーン装置内に設けたスクリーンの第１使用形態を説明するために模式的に示した図である。
【図８】本発明に係る表示スクリーン装置内に設けたスクリーンの第２使用形態を説明するために模式的に示した図である。
【図９】従来の表示スクリーン装置を示した正面図である。
【図１０】従来の表示スクリーン装置を鉛直方向に対して直交した水平方向に横断した時に、（ａ）はスクリーンの横断面形状が直線状の形態を示し、（ｂ）はスクリーンの横断面形状が曲線状の形態を示した図である。
【符号の説明】
【００８６】
１０…表示スクリーン装置、
１１…フレーム体、１１Ａ…上側フレーム体、１１Ｂ…下側フレーム体、
１１ａ…前面、１１ｂ…後面、１１ｃ…底面、１１ｄ…天面、
１１ｅ…左側面、１１ｆ…右側面、
１２…連結手段（ヒンジ）、１３…ゴムスペーサ、
１４…固定手段（壁面固定用部材）、１５…固定手段（ボルト）、
１６…移動手段（キャスター）、１７…制動手段、
１８…壁面固定用Ｕ字状ブラケット、１９…レバー部材、２０…軸、
２１…シート状の黒色緩衝材、２２…スクリーン、
２３…スクリーン補強材、２３ａ…丸孔、
２４，２５…上下一対のスクリーン支持用Ｌ字状ブラケット、
２４ａ，２５ａ…Ｌ字状曲げ片、２４ｂ，２５ｂ…丸孔、２６…ゴム紐、
２７，（２８）…左右一対のスクリーン支持用Ｌ字状ブラケット、
２７ａ，（２８ａ）…Ｌ字状曲げ片、２７ｂ，（２８ｂ）…丸孔、２９…ゴム紐
３０，３１…上下一対の化粧板支持用Ｌ字状ブラケット、
３０ａ，３１ａ…Ｌ字状曲げ片、３２…化粧板、
３３，（３４）…左右一対の化粧板支持用Ｌ字状ブラケット、
３３ａ，（３４ａ）…Ｌ字状曲げ片、３５…化粧板、
３６…ピン、３７…後面側拡開幅規制手段（鎖）、
４０…投射表示システム、
４１〜４５…スピーカ、４６〜４８…プロジェクタ、４９…スタンド。
【図１】
2007079271.tif 000003
【図２】
2007079271.tif 000004
【図３】
2007079271.tif 000005
【図４】
2007079271.tif 000006
【図５】
2007079271.tif 000007
【図６】
2007079271.tif 000008
【図７】
2007079271.tif 000009
【図８】
2007079271.tif 000010
【図９】
2007079271.tif 000011
【図１０】
2007079271.tif 000012